(57)【特許請求の範囲】
【請求項１】
ディスクを再生する再生装置本体と、この再生装置本体の前面部に配置され、ディスクを挿入する挿入口が形成された前面パネルとを備える再生装置において、
前記前面パネルと前記再生装置本体との間に設けられ、前記挿入口から挿入されたディスクを案内するディスクガイドを備え、
前記ディスクガイドは、前記前面パネルの裏面に固定され、前記挿入口から挿入されたディスクが入るディスク挿入口を有する基板部と、この基板部から前記再生装置本体に向かう奥行き方向に延出するガイド部とを備え、
前記ディスク挿入口は、このディスク挿入口の略中央に設けられ、それぞれ上方及び下方に突出する円弧に沿った上縁と下縁とによって前記ディスク２枚分の厚みよりも大の開口を形成した中央部と、前記ディスク挿入口の両端に設けられ、前記中央部の上縁及び下縁に向かって傾斜する上縁と下縁とによって前記ディスク２枚分の厚みよりも小で、前記ディスク１枚分の厚みよりも大の開口を形成した両端部とを備え、
前記ガイド部は、前記基板部の前記ディスク挿入口に連なって奥行き方向に延びる開口を有し、この開口を挟んだ上下部分が、前記両端部におけるディスク入口側となる前記基板部側で肉厚となる肉厚部に形成されていることを特徴とする再生装置。
【請求項２】
前記中央部と前記両端部との間に、これらの中央部及び両端部の上縁及び下縁をそれぞれ接続する接続部を設け、この接続部の少なくとも下縁を湾曲形成したことを特徴とする請求項１に記載の再生装置。
【請求項３】
前記両端部の少なくとも下縁を前記接続部の下縁にかけて緩やかに傾斜させたことを特徴とする請求項２に記載の再生装置。
【発明の詳細な説明】
【技術分野】
【０００１】
本発明は、ディスク挿入口から挿入されたディスクを再生する再生装置に関する。
【背景技術】
【０００２】
一般に、ＣＤ（コンパクトディスク）やＤＶＤ（デジタル・バーサタイル・ディスク）等のディスクをディスク挿入口に挿入し、このディスクを再生する、いわゆるスロットイン方式の再生装置が知られている。
この種の再生装置では、ディスク挿入口の上縁部及び下縁部をそれぞれ所定半径の円弧で形成し、ディスクを挿入もしくは排出させる場合、このディスクのエッジのみをディスク挿入口の下縁部と接触させることにより、このディスクの記録面への傷つきを防止するものが提案されている（例えば、特許文献１参照）。
【特許文献１】特開平０９−８２００１号公報
【発明の開示】
【発明が解決しようとする課題】
【０００３】
しかし、ディスク挿入口の上縁部及び下縁部を所定半径の円弧で形成した場合、このディスク挿入口の両端部の高さ寸法が大きくなり、ディスクの２枚挿入が可能となるといった問題がある。これに対し、上記両端部の高さ寸法を小さくしてディスク挿入口を形成すると、ディスクの２枚挿入は防止されるものの、上記ディスク挿入口の中央部の高さ寸法も小さくなるため、ディスクの排出時に、このディスクが当該ディスク挿入口に引っ掛かり、ディスクの排出性が悪化するといった問題がある。
【０００４】
そこで、本発明の目的は、上述した従来の技術が有する課題を解消し、排出時のディスクの引っ掛かりを防止するとともに、ディスクの２枚挿入を確実に防止する再生装置を提供することにある。
【課題を解決するための手段】
【０００５】
上記課題を解決するため、本発明は、ディスクを再生する再生装置本体と、この再生装置本体の前面部に配置され、ディスクを挿入する挿入口が形成された前面パネルとを備える再生装置において、前記前面パネルと前記再生装置本体との間に設けられ、前記挿入口から挿入されたディスクを案内するディスクガイドを備え、前記ディスクガイドは、前記前面パネルの裏面に固定され、前記挿入口から挿入されたディスクが入るディスク挿入口を有する基板部と、この基板部から前記再生装置本体に向かう奥行き方向に延出するガイド部とを備え、前記ディスク挿入口は、このディスク挿入口の略中央に設けられ、それぞれ上方及び下方に突出する円弧に沿った上縁と下縁とによって前記ディスク２枚分の厚みよりも大の開口を形成した中央部と、前記ディスク挿入口の両端に設けられ、前記中央部の上縁及び下縁に向かって傾斜する上縁と下縁とによって前記ディスク２枚分の厚みよりも小で、前記ディスク１枚分の厚みよりも大の開口を形成した両端部とを備え、前記ガイド部は、前記基板部の前記ディスク挿入口に連なって奥行き方向に延びる開口を有し、この開口を挟んだ上下部分が、前記両端部におけるディスク入口側となる前記基板部側で肉厚となる肉厚部に形成されていることを特徴とする。本発明によれば、中央部により排出時のディスクの引っ掛かりが防止され、これに加え、両端部により中央部の高さ寸法によらず複数枚重ねされたディスクが挿入されるのを確実に防止することができる。
【０００６】
この場合において、前記中央部と前記両端部との間に、これらの中央部及び両端部の上縁及び下縁をそれぞれ接続する接続部を設け、この接続部の少なくとも下縁を湾曲形成した構成としても良い。この構成によれば、接続部の下縁に角部が形成されることがなく、ディスク挿入もしくは排出時にディスクの記録面が下縁に接触したとしても、当該記録面への傷つきを防止することができる。
【０００７】
また、前記両端部の少なくとも下縁を前記接続部の下縁にかけて緩やかに傾斜させた構成としても良い。この構成によれば、ディスクを挿入もしくは排出する場合、ディスクのエッジのみが幅狭部の下縁に接触することにより、このディスクの記録面と当該下縁との摺擦が防止され、当該ディスクの記録面の傷つきを防止できる。
【発明の効果】
【０００９】
本発明によれば、排出時のディスクの引っ掛かりが防止され、複数枚重ねされたディスクが挿入されるのを確実に防止することができる。
【発明を実施するための最良の形態】
【００１０】
以下、本発明の一実施形態を、図面に基づいて説明する。
図１において、符号１０は、車載用ディスク再生装置（再生装置）を示し、この車載用ディスク再生装置１０は、ＣＤやＤＶＤなどのディスクの再生を行う再生装置本体１１と、その前面部に配置された操作パネル（前面パネル）１３とを備え、この操作パネル１３の裏面には、ディスクを再生装置本体１１に案内するディスクガイド１５が固定されている。
再生装置本体１１は、その前面に形成された横長の開口１１ａを備え、この開口１１ａを通じて再生装置本体１１内にディスクを引き込むためのローディング機構、収容されたディスクを回転駆動させるドライブ機構、このドライブ機構により回転されたディスクから記録情報を読み出すピックアップ装置等（いずれも不図示）が内蔵されている。
【００１１】
操作パネル１３は、再生装置本体１１に取り付けられ、その表面には各種選択スイッチが配置されるとともに、各種情報を表示する表示部１６と、ＣＤやＤＶＤなどを挿入自在な挿入口１７とが形成されている。
【００１２】
ディスクガイド１５は、操作パネル１３の挿入口１７を通じて挿入されたディスクを再生装置本体１１の開口１１ａに案内するためのものである。ディスクガイド１５は、基板部１５Ａを備え、この基板部１５Ａの略中央には、ディスクを案内する横長の開口（ディスク挿入口）２１が形成されている。ディスクガイド１５は、この開口２１が操作パネル１３の挿入口１７に連通するように、基板部１５Ａに形成されたねじ孔１５Ｂ（図２）を介して、当該操作パネル１３の裏面に取り付けられている。本構成では、ディスクガイド１５に形成された開口２１の形状に特徴を有する。
【００１３】
この開口２１の横幅Ｌ１は、図２に示すように、ディスク５０を容易に挿入できるように、このディスク５０の横幅Ｌ２よりも若干大きな幅寸法に形成されている。また、この開口２１は、ディスク排出時にディスクが最初に進入する領域である中央部（幅広部）２１Ａと、この中央部２１Ａの両側に設けられる両端部（幅狭部）２１Ｂとを備える。中央部２１Ａと両端部２１Ｂとは高さ寸法を変えて形成され、これら中央部２１Ａと両端部２１Ｂとの間に、当該中央部２１Ａ及び両端部２１Ｂを滑らかに接続する接続部２１Ｃが形成されている。
中央部２１Ａは、この中央部２１Ａの高さ寸法Ｈ１が両端部２１Ｂの高さ寸法Ｈ２よりも幅広に形成されており、この中央部２１Ａの高さ寸法Ｈ１は、ディスク排出時にディスクが中央部２１Ａの上縁部２１Ａ１もしくは下縁部２１Ａ２に引っ掛からない高さ寸法（本実施形態では、ディスク５０の厚みＨ３の４倍程度）に設定されている。
また、中央部２１の上縁部２１Ａ及び下縁部２１Ｂは、それぞれ所定半径Ｒ１（本実施形態ではＲ１＝６８１ｍｍ）の円弧状に形成されている。このため、中央部２１Ａは両端部２１Ｂに向けて高さ寸法が徐々に低くなり、接続部２１Ｃにおいて、中央部２１Ａと両端部２１Ｂとの接続をスムーズに行うことができる。
【００１４】
一方、両端部２１Ｂでは、この両端部２１Ｂの高さ寸法Ｈ２（本実施形態では両端部２１Ｂの端部２５の高さ寸法）は、ディスク５０の２枚挿入を防止可能な高さ寸法（本実施形態ではディスク５０の厚みＨ３の１．５倍程度）に形成されている。このため、両端部２１Ｂによって、開口２１の中央部２１の高さ寸法によらず複数枚重ねされたディスクが挿入されるのを確実に防止される。
また、両端部２１Ｂの上縁部２１Ｂ１及び下縁部２１Ｂ２は、それぞれ接続部２１Ｃの上縁部２１Ｃ１及び２１Ｃ２にかけて緩やかに傾斜させて形成されている。このため、ディスクを挿入もしくは排出する場合、ディスクのエッジのみが両端部２１Ｂの一方の縁部（例えば、下縁部２１Ｂ２）の接触することにより、このディスクの記録面と当該下縁部２１Ｂ２との摺擦が防止され、当該ディスクの記録面の傷つきを防止できる。
本構成では、上縁部２１Ｂ１、下縁部２１Ｂ２の傾斜角度は、端部２５から所定距離Ｌ３（本実施形態では、開口幅Ｌ１の約１／１０）だけ中央によった位置における高さ寸法Ｈ４が、ディスク２枚分の厚みと略同一となるような角度に設定されている。この構成では、両端部２１Ｂの高さ寸法は、中央部２１Ａに近づくにつれて広がることとなる。しかし、この場合であっても、ディスク２枚分の厚みよりも高さ寸法の低い領域が、開口２１の端部２５から所定距離Ｌ３に亘って形成されているため、この開口２１に複数枚（例えば２枚）重ねされたディスクが挿入されることが確実に防止される。
【００１５】
また、接続部２１Ｃは、上述したように、中央部２１Ａの上縁部２１Ａ１、下縁部２１Ａ２と、両端部２１Ｂの上縁部２１Ｂ１、２１Ｂ２とをそれぞれ滑らかに接続するものである。この構成では、中央部２１Ａの上縁部２１Ａ１及び下縁部２１Ａ２が所定半径の円弧状に形成されるのに対して、両縁部２１Ｂの上縁部２１Ｂ１及び下縁部２１Ｂ２は、中央部２１Ａに向かって緩やかに傾斜した構成となっている。このため、中央部２１Ａの上縁部２１Ａ１、下縁部２１Ａ２と、両端部２１Ｂの上縁部２１Ｂ１、下縁部２１Ｂ２とをそれぞれ単に接続した場合には、この接続部分にエッジ（角部）が形成されてしまう。
これに対して、本構成では、中央部２１Ａと両端部２１Ｂとの間に配置される接続部２１Ｃは、この接続部２１Ｃの上縁部２１Ｃ１及び下縁部２１Ｃ２をそれぞれ湾曲させて形成している。このため、この接続部２１Ｃを介して中央部２１Ａと両端部２１Ｂとを接続することにより、これら中央部２１Ａと両端部２１Ｂとを滑らかに接続することができ、開口２１の下縁部（２１Ａ２、２１Ｂ２、２１Ｃ２）に角部が形成されることがない。従って、ディスク挿入もしくは排出時にディスクの記録面が開口２１の下縁部に接触したとしても湾曲形状によりディスクの傷つきを防止することができる。
【００１６】
図３は、両端部２１Ｂにおけるディスクガイド１５と操作パネル１３との断面図である。図３に示すように、ディスクガイド１５は、基板１５Ａから奥行き方向（図中Ｘ方向）に延出するガイド部１５Ｃを備え、このガイド部１５Ｃは、基板部１５Ａ側（すなわち操作パネル１３側）が肉厚に形成された肉厚部３０を備える。また、基板部１５Ａには、この基板部１５Ａの上縁及び下縁から奥行き方向に延出する補強リブ３１が形成されている。この構成によれば、両端部２１Ｂにおけるディスク入口側が補強されているため、この両端部２１に複数枚のディスクを重ねて挿入しようとした場合でも、当該両端部２１Ｂの変形が防止され、ディスクの複数枚挿入が確実に防止される。
また、本構成によれば、ディスクガイド１５は、このディスクガイド１５の基板部１５Ａに形成された開口２１の両端部２１Ｂの高さ寸法を低く抑えるとともに、当該基板部１５Ａから奥行き方向に延出するガイド部１５Ｃを備えるため、ディスクの挿入角度を規制することができ、再生装置本体１１への乗り上げ及び挿入時の引っ掛かりを同時に防止することができる。
【００１７】
本実施形態によれば、ディスク５０を再生する再生装置本体１１と、この再生装置本体１１の前面部に配置され、ディスク５０を再生装置本体１１に挿入するための挿入口１７が設けられた操作パネル１３と、これら操作パネル１３と再生装置本体１１との間に配置され、上記挿入口１７から挿入されたディスク５０を再生装置本体１１に案内するための開口２１が設けられたディスクガイド１５とを備え、この開口２１は、この開口２１の略中央に形成された中央部２１Ａと、この中央部２１Ａの両側に形成された両端部２１Ｂとを備え、中央部２１Ａはディスク排出時にディスク５０の引っ掛かりを防止可能な高さ寸法Ｈ１に形成されるとともに、両端部２１Ｂはディスク５０の２枚挿入を防止可能な高さ寸法Ｈ２に形成されているため、排出時のディスク５０の引っ掛かりが防止されるとともに、この中央部２１Ａの高さ寸法によらず複数枚重ねされたディスク５０が挿入されるのを確実に防止できる。
【００１８】
また、本実施形態によれば、両端部２１Ｂと中央部２１Ａとの間に、これら中央部２１Ａの上縁部２１Ａ１、下縁部２１Ａ２と、両端部２１Ｂの上縁部２１Ｂ１、２１Ｂ２とをそれぞれ接続する接続部２１Ｃを設け、この接続部２１Ｃの少なくとも下縁２１Ｃ２を湾曲形成したため、この接続部２１を介して中央部２１Ａと両端部２１Ｂとを滑らかに接続することができ、開口２１の下縁部に角部が形成されることがない。従って、ディスク挿入もしくは排出時にディスクの記録面が開口２１の下縁部に接触したとしても湾曲形状によりディスクの傷つきを防止することができる。
【００１９】
また、本実施形態では、両端部２１Ｂの上縁部２１Ｂ１及び下縁部２１Ｂ２を接続部２１Ｃの上縁部２１Ｃ１及び下縁部２１Ｃ２にかけて緩やかに傾斜させたため、ディスクを挿入もしくは排出する場合、ディスクのエッジのみが両端部２１Ｂの下縁部２１Ｂ２に接触することにより、このディスクの記録面と当該下縁部２１Ｂ２との摺擦が防止され、当該ディスクの記録面の傷つきを防止できる。
【００２０】
以上、本実施形態を説明したが、本発明はこれに限定されるものではなく、種々の変更が可能である。例えば、上記実施の形態では、操作パネル１３とディスクガイド１５とを別個の部材として形成し、これらを組み合わせる構成としたが、これらを一体に形成する構成としても良い。
また、本実施形態では、開口２１の中央部２１Ａの上縁部２１Ａ１及び下縁部２１Ａ２をそれぞれ所定の第１半径Ｒ１で形成しているが、これに限るものではなく、この上縁部及び下縁部をそれぞれ所定の傾斜角度で両端部に向けて高さ寸法を狭めるような構成としても良い。
【図面の簡単な説明】
【００２１】
【図１】本発明の一実施の形態を示す斜視図である。
【図２】ディスクガイドを示す正面図である。
【図３】両端部におけるディスクガイドと操作パネルとの断面図である。
【符号の説明】
【００２２】
１０  車載用ディスク再生装置（再生装置）
１１  再生装置本体
１３  操作パネル（前面パネル）
１５  ディスクガイド
２１  開口（ディスク挿入口）
２１Ａ  中央部（幅広部）
２１Ａ１、２１Ｂ１、２１Ｃ１  上縁部
２１Ａ２、２１Ｂ２、２１Ｃ２  下縁部
２１Ｂ  両端部（幅狭部）
２１Ｃ  接続部
５０  ディスク
【図１】
0004621159.tif 000002
【図２】
0004621159.tif 000003
【図３】
0004621159.tif 000004